(57)【要約】【課題】貼付式健康器の再生作業を短時間に容易かつ確実に行う補助治具を提供する。【解決手段】貼付式健康器の補助治具１は、接着面露出孔１２を有する台紙の一面に、前記接着面露出孔１２に対応位置して絆創膏１４を剥離可能に接着してなる基材の前記絆創膏１４の接着面１４ａに、人体に作用して生理活動を活発化させる粒状の活発化物質たる磁石を付着するためのものであって、前記基材が嵌合可能な凹部を設け、該基材を絆創膏１４が接着している面を下にして載置する台紙置台３と、前記台紙の接着面露出孔１２と対応位置するようにガイド孔を配置した、前記凹部に嵌合可能なガイド板５とからなる。台紙置台３の凹部に基材とガイド板５を順次嵌合し、ガイド孔に前記磁石を嵌合して押し付けることによって、絆創膏１４の適正な位置に磁石を確実に付着させることができる。【選択図】図７
0003112527.tif 000002
【実用新案登録請求の範囲】
【請求項１】
接着面露出孔を有する台紙の一面に、前記接着面露出孔に対応位置して絆創膏を剥離可能に接着してなる基材の前記絆創膏の接着面に、人体に作用して生理活動を活発化させる粒状の活発化物質を付着するための貼付式健康器の補助治具であって、前記基材の外形と同形の内形をもち、該基材が嵌合可能な凹部を設け、該基材を絆創膏が接着している面を下にして載置する台紙置台と、該基材と縁部を合わせて重ねた状態において前記台紙の接着面露出孔と対応位置するようにガイド孔を設けた、前記凹部に嵌合可能なガイド板とからなる貼付式健康器の再生用補助治具。
【請求項２】
ガイド板のガイド孔を複数設けたことを特徴とする請求項１記載の貼付式健康器の再生用補助治具。
【考案の詳細な説明】
【技術分野】
【０００１】
本考案は、所定の大きさと形状に形成した絆創膏に、人体に作用して生理活動を活発化させる磁気や放射能をそれぞれ発する磁石やゲルマニウム等の粒状の活発化物質を付着させ、腰や肩や首等の皮膚に貼って使用する貼付式健康器の再生用補助治具に関するものである。
【背景技術】
【０００２】
上記貼付式健康器は、貼付後３〜４日で、皮膚が痒くなったりかぶれたりするため剥がす必要があるが、剥がした後の磁石やゲルマニウムなどの活発化物質は、その効力は落ちていないので、再利用することが可能である。そして、このような再利用可能な貼付式健康器はすでに提案されている（特許文献１参照）。
【０００３】
【特許文献１】実開平０５−０４８９５７号公報
【考案の開示】
【考案が解決しようとする課題】
【０００４】
前記従来の貼付式健康器は、再利用のための再生加工において、粒状の磁石と絆創膏を左右の手にもって、該磁石を絆創膏接着面の適正な位置に付着しにくいうえ、不適正な位置に付着した場合は、小さな粒状の磁石は剥がしにくいので、貼り直しに手間がかかるという問題がある。
【０００５】
本考案は前記問題を解消することを課題とし、該課題を解決した貼付式健康器の再生用補助治具を提供することを目的とする。
【課題を解決するための手段】
【０００６】
上記目的を達成するために、請求項１記載の考案の貼付式健康器の再生用補助治具は、接着面露出孔を有する台紙の一面に、前記接着面露出孔に対応位置して絆創膏を剥離可能に接着してなる基材の前記絆創膏の接着面に、人体に作用して生理活動を活発化させる粒状の活発化物質を付着するための貼付式健康器の補助治具であって、前記基材の外形と同形の内形をもち、該基材が嵌合可能な凹部を設け、該基材を絆創膏が接着している面を下にして載置する台紙置台と、該基材と縁部を合わせて重ねた状態において前記台紙の接着面露出孔と対応位置するようにガイド孔を設けた、前記凹部に嵌合可能なガイド板とからなるものである。
【０００７】
また、請求項２記載の考案の貼付式健康器の再生用補助治具は、請求項１記載のガイド孔を複数設けたことを特徴とするものである。
【考案の効果】
【０００８】
以上のように、請求項１記載の本考案は、台紙置台の凹部に基材とガイド板を順次嵌合し、前記ガイド板のガイド孔に活発化物質を嵌合し、絆創膏の接着面に押し付けることによって、絆創膏の適正な位置に活発化物質を付着させ得るので、貼付式健康器の再生作業を短時間に容易かつ確実に行うことができる。
【０００９】
また、請求項２記載の本考案は、前記請求項１記載の考案の効果に加えて、ガイド孔を複数設けたので、複数の単体の貼付式健康器を容易に再生できる。
【考案を実施するための最良の形態】
【００１０】
次に、本考案の好適な実施形態を添付図面の図１〜図１０に基づいて詳細に説明する。ここにおいて、図１は台紙置台の平面図、図２は図１のＡ−Ａ線断面図、図３はガイド板の平面図、図４は図３のＢ−Ｂ線断面図、図５は基材の平面図、図６は台紙置台に基材とガイド板を置く途中の状態を示す正面図、図７は台紙置台の凹部に基材とガイド板を順次重ねて嵌合した状態を示す平面図、図８は貼付式健康器の平面図、図９は図８のＣ−Ｃ線拡大断面図、図１０は単体の貼付式健康器の斜視図である。
【００１１】
先ず、図８〜図１０に基づいて、貼付式健康器１１について説明する。図８及び図９に示すように、貼付式健康器１１は、複数の接着面露出孔１２を有する長方形の台紙１３の剥離処理を施した一面に、前記各接着面露出孔１２に対応位置するように複数の円形の絆創膏１４をそれぞれ剥離可能に接着してなる基材１５の前記接着面露出孔１２から露出した絆創膏１４の接着面１４ａに、所定の磁力をもった複数の粒状の活発化物質たる磁石１６を前記付着させ、前記各磁石１６が台紙１３の他面側に突出した状態となしたものである。図９に示すように、前記磁石１６の底面は、接着面１４ａに接着させるよう平坦面としてある。図１０に示すように、台紙１３の一面から剥離した単体の貼付式健康器１１は、絆創膏１４の接着面１４ａ中央に磁石１６が付着されたもので、絆創膏１４の接着面１４ａを人体の任意の皮膚に貼付することによって、前記皮膚と絆創膏間１４に磁石１６が固定され、磁石１６の作用で人体の生理活動を活発化させるというものである。なお、前記基材１５は、貼付式健康器１１の再生用として、完成状態の貼付式健康器１１とともに市販されている。
【００１２】
次に、上記基材１５における台紙１３に接着された絆創膏１４の接着面１４ａに粒状の磁石１６を付着させるための補助治具１を図１〜図７に基づいて説明する。補助治具１は、前記基材１５の外形とほぼ同形の内形をもち、該基材１５に嵌合可能な凹部２を設け、該基材を絆創膏接着面を下にして載置する台紙置台３と、台紙１３の接着面露出孔１２と対応位置するようにガイド孔４を配置し、前記基材１５と同形、同大で前記凹部１５に嵌合可能なガイド板５とからなる。
【００１３】
図１、図２、図６及び図７に示すように、台紙置台３の一方の短辺には、前記凹部１５に達する半円形上の切り込み６を設ける。
【００１４】
次に、上記補助治具１を用いた貼付式健康器１１の再生作業を説明すると、台紙置台３の凹部２に、接着面露出孔１２から絆創膏１４の接着面１４ａが露出している面を上にして再生用の基材１５を嵌め込み、その上からガイド板５をさらに嵌め込む。次に、前記ガイド板５の各ガイド孔４に、その平坦面を下にして磁石１６を嵌め込み、上から押し付け、磁石１６の平坦面を接着面露出孔１２から露出している絆創膏１４の接着面１４ａに付着させる。次に、台紙置台３の切り込み６に指を入れ、基材１５とガイド板を台紙置台３から外すと、前記基材１５の絆創膏１４における適正な位置である、接着面露出孔１２から露出した接着面１４ａ中央に磁石１６が付着した貼付式健康器１１を得られる。
【００１５】
なお、本考案は、活発化物質は、磁石をゲルマニウムなどに換えてもよいほか、ガイド板５のガイド孔４は、円形ではなく四角形などであってもよい。
【図面の簡単な説明】
【００１６】
【図１】台紙置台の平面図。
【図２】図１のＡ−Ａ線断面図。
【図３】ガイド板の平面図。
【図４】図３のＢ−Ｂ線断面図。
【図５】基材の平面図。
【図６】台紙置台に基材とガイド板を置く途中の状態を示す正面図。
【図７】台紙置台の凹部に基材とガイド板を順次重ねて嵌合した状態を示す平面図。
【図８】貼付式健康器の平面図。
【図９】図８のＣ−Ｃ線拡大断面図。
【図１０】単体の貼付式健康器の斜視図。
【符号の説明】
【００１７】
１    補助治具
２    凹部
３    台紙置台
４    ガイド孔
５    ガイド板
６  切り込み
１１  貼付式健康器
１２  接着面露出孔
１１ａ  単体の貼付式健康器
１３  台紙
１４絆創膏
１４ａ  接着面
１５  基材
１６  磁石
【図１】
0003112527.tif 000003
【図２】
0003112527.tif 000004
【図３】
0003112527.tif 000005
【図４】
0003112527.tif 000006
【図５】
0003112527.tif 000007
【図６】
0003112527.tif 000008
【図７】
0003112527.tif 000009
【図８】
0003112527.tif 000010
【図９】
0003112527.tif 000011
【図１０】
0003112527.tif 000012